(57)【要約】      （修正有）【課題】複数のユーザーが互いに連結し、且つ行程予約を達成するＡＶメール・ネットワーク行程予約方法を提供する。【解決手段】送信端のユーザーが、ＡＶメール・ネットワーク行程予約ソフトウェアを起動し、行程予約日付にネットワーク行程予約のＡＶメールをレコードし、ユーザーの名簿中から送信しようとする複数の受信端のユーザーを選択する。次に、当該ネットワーク行程予約のＡＶメールを送信し、且つ既に選択された当該受信端のユーザーに通知する。送信端のユーザーが当該受信端のユーザーの返信したメッセージを受信する。【選択図】図１Ａ
2007011875.tif 000002
【特許請求の範囲】
【請求項１】
送信端のユーザーから行程予約を含む少なくとも一つのＡＶメールを少なくとも一つの受信端のユーザーへ送信するＡＶメール・ネットワーク行程予約方法において、当該方法は、
送信端のユーザーがＡＶメール・ネットワーク行程予約ソフトウェアを起動することと、
送信端のユーザーがクリックされた行程予約日付時間中にネットワーク行程予約のＡＶメールをレコードすることと、
送信端のユーザーがユーザーの名簿中から送信しようとする複数の受信端のユーザーを選択することと、
当該ネットワーク行程予約のＡＶメールを送信し且つ既に選択された当該受信端のユーザーに通知することと、
送信端のユーザーが当該受信端のユーザーの返信したメッセージを受信することと
を含むことを特徴とするＡＶメール・ネットワーク行程予約方法。
【請求項２】
当該ＡＶメールは、少なくとも一つの即時映像データ，少なくとも一つの即時音声データ及び行程予約画面を含むことを特徴とする請求項１記載のＡＶメール・ネットワーク行程予約方法。
【請求項３】
当該レコードされた動作は、映像撮影装置と音声ピック・アップ装置により完成されることを特徴とする請求項１記載のＡＶメール・ネットワーク行程予約方法。
【請求項４】
当該ユーザーの名簿は、複数のユーザー名称，複数のユーザーの連絡電話および複数のユーザーの連絡住所を含むことを特徴とする請求項１記載のＡＶメール・ネットワーク行程予約方法。
【請求項５】
当該送信動作は、有線または無線を介してインターネットを接続して完成することを特徴とする請求項１記載のＡＶメール・ネットワーク行程予約方法。
【請求項６】
当該送信端のユーザーが当該受信端のユーザーの返信したメッセージを受信するステップの中では、受信された返信のメッセージが予め設定された受信の標準文字であれば、当該受信端のユーザーが当該行程予約に同意するように表示し或いは当該受信端のユーザーが当該行程予約に反対するように表示することを特徴とする請求項１記載のＡＶメール・ネットワーク行程予約方法。
【請求項７】
当該受信端のユーザーが当該行程予約に同意するように表示する時になれば、当該行程予約を当該送信端のユーザーと当該受信端のユーザーの当該ＡＶメール・ネットワーク行程予約ソフトウェアの内に自動的に加えることと、当該送信端のユーザーと当該受信端のユーザーには既に当該行程予約をアレンジするメッセージを表示することとを含むことを特徴とする請求項６記載のＡＶメール・ネットワーク行程予約方法。
【請求項８】
当該送信端のユーザーが当該受信端のユーザーの返信したメッセージを受信するステップの中では、受信された返信のメッセージがＡＶ文献であれば、当該受信端のユーザーが当該行程予約に同意し且つＡＶ説明を加えるように表示し、或いは当該受信端のユーザーが当該行程予約に同意し然しながら時間を変更するように表示し、或いは当該受信端のユーザーが当該行程予約に反対し然しながらＡＶ説明を加えるように表示することを特徴とする請求項１記載のＡＶメール・ネットワーク行程予約方法。
【請求項９】
当該受信端のユーザーが当該行程予約に同意し且つＡＶ説明を加えるように表示する時になれば、当該行程予約を当該送信端のユーザーと当該受信端のユーザーの当該ＡＶメール・ネットワーク行程予約ソフトウェアの内に自動的に加えることと、当該送信端のユーザーと当該受信端のユーザーには既に当該行程予約をアレンジするメッセージを表示することとを含むことを特徴とする請求項８記載のＡＶメール・ネットワーク行程予約方法。
【請求項１０】
当該受信端のユーザーが当該行程予約に同意し然しながら時間を変更するように表示する時になれば、
当該送信端のユーザーがこの行程予約に同意することと、
当該送信端のユーザーがこの行程予約に同意し然しながらＡＶ説明を加えることと、
当該送信端のユーザーがこの行程予約に同意し然しながら他の行程予約時間を変更すべきであることと、
当該送信端のユーザーがこの行程予約に反対し或いは当該送信端のユーザーがこの行程予約に反対し然しながらＡＶ説明を加えることとを含むことを特徴とする請求項８記載のＡＶメール・ネットワーク行程予約方法。
【請求項１１】
当該送信端のユーザーがこの行程予約に同意し或いは当該送信端のユーザーがこの行程予約に同意し然しながらＡＶ説明を加える時になれば、
当該行程予約を当該送信端のユーザーと当該受信端のユーザーの当該ＡＶメール・ネットワーク行程予約ソフトウェアの内に自動的に加えることと、
当該送信端のユーザーと当該受信端のユーザーには既に当該行程予約をアレンジするメッセージを表示することとを含むことを特徴とする請求項１０記載のＡＶメール・ネットワーク行程予約方法。
【請求項１２】
当該行程予約日付をアレンジするステップを行なうと同時に、当該送信端のユーザー又は当該受信端のユーザーの当該ＡＶメール・ネットワーク行程予約ソフトウェアの内に行程予約の連結した提示符号を生成することを特徴とする請求項１１記載のＡＶメール・ネットワーク行程予約方法。
【請求項１３】
当該送信端のユーザーがこの行程予約に同意する時になれば、当該送信端のユーザーが予め設定された受信の標準文字を当該受信端のユーザーへ送信することを特徴とする請求項１０記載のＡＶメール・ネットワーク行程予約方法。
【請求項１４】
当該送信端のユーザーがこの行程予約に同意し然しながら他の行程予約時間を変更すべきであれば、行程予約変更の手順を実施することを特徴とする請求項１０記載のＡＶメール・ネットワーク行程予約方法。
【請求項１５】
当該送信端のユーザーがこの行程予約に反対する時になれば、当該送信端のユーザーから受信拒否の標準文字を送信することを特徴とする請求項１０記載のＡＶメール・ネットワーク行程予約方法。
【請求項１６】
ＡＶメール・ネットワーク行程予約方法において、受信端のユーザーから送信端のユーザーの行程予約日付のＡＶメール・メッセージを少なくとも一つ受信するが、
当該送信端のユーザーから送信されたＡＶメール・メッセージを受信することと、
当該ＡＶメールの内容を開き且つ調べることと、
受信端のユーザーが当該送信端のユーザーの当該ＡＶメールに含まれた行程予約日付を受信するどうかと、
当該ＡＶメール内容の確認表示分類を選択することと、
予め設定された受信の標準文字メッセージを当該送信端のユーザーへ送信することと、
当該行程予約日付を当該送信端のユーザーと当該受信端のユーザーの当該ＡＶメール・ネットワーク行程予約ソフトウェアの内にアレンジすることとを含むことを特徴とするＡＶメール・ネットワーク行程予約方法。
【請求項１７】
当該ＡＶメールは、少なくとも一つの即時映像データ，少なくとも一つの即時音声データ及び行程予約画面を含むことを特徴とする請求項１６記載のＡＶメール・ネットワーク行程予約方法。
【請求項１８】
当該受信動作は、有線または無線を介してインターネットを接続して完成することを特徴とする請求項１６記載のＡＶメール・ネットワーク行程予約方法。
【請求項１９】
当該受信端のユーザーが当該送信端のユーザーの当該ＡＶメールに含まれた行程予約日付を受信するかどうかのステップの中では、結果が肯定と判断すれば、当該ＡＶメール内容の確認表示分類を選択し、逆に結果が否定と判断すれば、送信した当該ＡＶメール・メッセージの拒否表示分類を選択することを特徴とする請求項１６記載のＡＶメール・ネットワーク行程予約方法。
【請求項２０】
当該ＡＶメール内容の確認表示分類を選択するステップの中では、表示分類が標準文字メッセージと確認する時になれば、予め設定された受信の標準文字メッセージを当該送信端のユーザーへ送信し、逆に表示分類がＡＶメッセージと確認する時になれば、当該受信端のユーザーが当該行程予約に同意し然しながら他の行程予約日付を変更すべき、或いは当該受信端のユーザーが当該行程予約に同意し然しながらＡＶ説明を加えることを特徴とする請求項１９記載のＡＶメール・ネットワーク行程予約方法。
【請求項２１】
当該表示分類がＡＶメッセージと確認し且つ当該受信端のユーザーが当該行程予約に同意し然しながら他の行程予約を変更すべき時になれば、行程予約変更の手順を実施することを特徴とする請求項２０記載のＡＶメール・ネットワーク行程予約方法。
【請求項２２】
当該表示分類がＡＶメッセージと確認し且つ当該受信端のユーザーが当該行程予約に同意し然しながらＡＶ説明を加える時になれば、
受信端のユーザーがＡＶ説明メッセージをレコードし且つ当該送信端のユーザーへ送信することと、
当該行程予約を当該受信端のユーザーと当該送信端のユーザーの当該ＡＶメール・ネットワーク行程予約ソフトウェアの内に自動的に加えることと、
当該受信端のユーザーと当該送信端のユーザーには既に当該行程予約をアレンジするメッセージを表示することとを含むことを特徴とする請求項２０記載のＡＶメール・ネットワーク行程予約方法。
【請求項２３】
送信した当該ＡＶメール・メッセージの拒否表示分類を選択するステップの中では、拒否表示分類が予め設定された拒否受信標準文字メッセージである時になれば、予め設定された当該拒否受信標準文字メッセージを表示し、且つ当該送信端のユーザーへ送信することを特徴とする請求項１９記載のＡＶメール・ネットワーク行程予約方法。
【請求項２４】
当該ＡＶメール・メッセージの拒否表示分類を選択するステップの中では、拒否表示分類が拒否受信のＡＶメッセージである時になれば、拒否受信のＡＶメッセージ内容をレコードし、且つ当該送信端のユーザーへ送信することを特徴とする請求項１９記載のＡＶメール・ネットワーク行程予約方法。
【請求項２５】
当該行程予約日付をアレンジするステップを行なうと同時に、当該送信端のユーザー又は当該受信端のユーザーの当該ＡＶメール・ネットワーク行程予約ソフトウェアの内に行程予約の連結した提示符号を生成することを特徴とする請求項１６記載のＡＶメール・ネットワーク行程予約方法。
【発明の詳細な説明】
【技術分野】
【０００１】
本発明は、ＡＶ（オーディオ・ビデオ）メール・ネットワーク行程予約方法に関し、特にネットワークを利用してマルチプレックスするＡＶ行程予約方法を指す。
【背景技術】
【０００２】
コンピューターの科学技術が発達するため、多数の伝統的な紙作業の仕事、例えば文書作成専用の文書作成プログラム，行程計画専用のスケジュール，通信設備設計専用のニュースレター送信手順などがコンピューターに移転して処理されることが多い。
【０００３】
スケジュールについて、現在コンピューターの実施するスケジュール機能がもう省略型の機能ではなく、これは格納記述用とすることが出来るだけではなく、ひいては多機能の行事手配システムとなる。例えば行事手配システムはユーザーに取り扱う事項の時間が間もなくくることを主動的に提示できるが、ユーザーにより検閲される必要がない。また、例えば行事手配システムは住所録等に対応でき、ユーザーにその家族または友達の誕生日を主動的に提示することにより、ユーザーにより入力される必要がなく、ユーザーにその親友の誕生日が間もなくくることを提示する。
【０００４】
従来の特許方面では、例えば中華民国特許第536675号「行事手配システム及び方法」、それが行事手配システム及び方法を掲示し、これがユーザーにより入力された複数の行事要件に対し分析とシーケンスを行い、且つユーザーにシーケンス結果をその参考とするように提供することが出来る。
【０００５】
また、例えば中華民国特許第563046号「電子装置のオペレーティング・システムの主画面上に行程および未定の事件を表示できる方法」、当該特許は電子装置のオペレーティング・システムの主画面上に行程および未定の事件を表示できる方法を掲示し、当該方法が当該電子装置にインストールされた行程管理システムをオペレーティング・システムと互いに連結でき、当該電子装置が起動された後に、当該電子装置のセントラル・プロセッシング・ユニット（CPU）が当該オペレーティング・システムを介して当該行程管理システムの中に設定された行程および未定の事件を読取り、且つ当該オペレーティング・システムの主画面により当該行程および未定の事件の項目または個数を当該電子装置の液晶表示スクリーンの上に表示することが出来、従ってユーザーはいつでも当該オペレーティング・システムの主画面を介して未処理の行程および未定の事件の項目または個数を簡単に知り、且つ当該行程および未定の事件に対し処理を即時に行なうことが出来る。
【０００６】
然しながら、前述の従来の技術は単者のユーザーに対し行程計画のみを行なうだけで、複数のユーザーの相互の連結および行程予約の機能を達成できない。
【発明の開示】
【発明が解決しようとする課題】
【０００７】
前述の従来の技術の不足および不便性に鑑み、従って本発明者は遂に自身で勉強した技術を運用し、「ＡＶメール・ネットワーク行程予約方法」を提出する。
【０００８】
本発明の目的は、ネットワーク行程予約の方法を提供することにあり、複数のユーザーが本発明のＡＶメール・ネットワーク行程予約方法により行程予約を達成させることにある。
【課題を解決するための手段】
【０００９】
前述の目的を達成するために、本発明は、送信端のユーザーから行程予約を含む少なくとも一つのＡＶメールを少なくとも一つの受信端のユーザーへ送信するＡＶメール・ネットワーク行程予約方法を提供し、当該方法は、送信端のユーザーがＡＶメール・ネットワーク行程予約ソフトウェアを起動することと、送信端のユーザーが行程予約日付にネットワーク行程予約のＡＶメールをレコードすることと、送信端のユーザーがユーザーの名簿中から送信しようとする複数の受信端のユーザーを選択することと、当該ネットワーク行程予約のＡＶメールを送信し且つ既に選択された当該受信端のユーザーに通知することと、送信端のユーザーが当該受信端のユーザーの返信したメッセージを受信することとを含む。
【発明を実施するための最良の形態】
【００１０】
本発明が予定の目的を達成するために採用される技術，方法と効果をより了解できるように、以下の本発明に関する詳細な説明と図面を添付することで、本発明の目的，特徴と特色について深い具体的な理解を取得できると信ずるが、ただ添付の図面は参考と説明用のみに供され、本発明をより限定するために用いられるわけではない。
【００１１】
従来複数のユーザーは、相互の計画の間の行程予約において、事務室の間には常に電話を使用して連絡し或いはメモランダムを置くことがよく見えるが、相手を見付けなく、あるいは置かれたメモランダムを無くすことにでもなれば、計画しようとする行程を完成できない恐れがあり、従って本発明はＡＶメール・ネットワーク行程予約方法を提供することにより、従来の技術の欠点を解決する。
【００１２】
図１Ａ乃至図１Ｈを参照し、図１Ａおよび図１Ｂは本発明のＡＶメール・ネットワーク行程予約方法の送信端を観点とする実施例のフローチャートで、図１Ｃ乃至図１Ｈは本発明のＡＶメール・ネットワーク行程予約方法の実施画面の模式図で、送信端のユーザーから行程予約を含む少なくとも一つのＡＶメールを少なくとも一つの受信端のユーザーへ送信し、当該方法は、送信端のユーザーがＡＶメール・ネットワーク行程予約ソフトウェアを起動すること（S100）を含み、当該ＡＶメールが少なくとも一つの即時映像データ及び少なくとも一つの即時音声データを含み、当該即時映像が送信端のユーザーの映像または手書きの映像である。送信端のユーザーがクリックされた行程予約日付時間中にネットワーク行程予約のＡＶメールをレコードし（S102）、当該レコードされた動作が映像撮影装置と音声ピック・アップ装置で完成され、図１Ｃに示す画面の模式図を参考し、送信端のユーザーがユーザーの名簿中から送信しようとする複数の受信端のユーザーを選択し（S104）、当該ユーザーの名簿が複数のユーザー名称，複数のユーザーの連絡電話，複数のユーザーの連絡住所および複数の電子メール・アドレスを含み、図１Ｄに示す画面の模式図を参考し、当該送信端のユーザーが送信しようとする当該受信端のユーザーを選択した後に、再び確定ボタンを押え付けてもよい。
【００１３】
当該ネットワーク行程予約のＡＶメールを送信し、且つ既に選択された当該受信端のユーザーに通知し（S106）、中でも当該送信の対象が会員または非会員の電子メール・アドレスであってもよく、当該送信の動作は有線または無線を介してインターネットを接続して完成され、この時に当該受信端のユーザーが当該ネットワーク行程予約のＡＶメールを受信した後に、当該受信端の処理する流れを図２Ａに示すフローチャートを参考し、送信端のユーザーが当該受信端のユーザーの返信したメッセージを受信し（S108）、ここに送信端のユーザーと同時に予約された行程がまだ返信していない目録リストをも表示し、例えば図１Ｉの画面の模式図の通りで、このように当該送信端のユーザーが返信の状況をより容易にコントロールし、ほかに当該予約行程のまだ返信していない目録も当該受信端により主動的に検索で呼び出すことが出来、受信された返信のメッセージが予め設定された受信の標準文字であれば（S110）、当該受信端のユーザーが当該行程予約に同意するように表示し（S112）、或いは当該受信端のユーザーが当該行程予約に反対するように表示し（S114）、当該受信端のユーザーが当該行程予約に同意するように表示する時になれば（S112）、当該行程予約を当該送信端のユーザーと当該受信端のユーザーの当該ＡＶメール・ネットワーク行程予約ソフトウェアの内に自動的に加え（S116）、同時に図１Ｅに示す画面の模式図を参考し、続いて当該送信端のユーザーと当該受信端のユーザーには既に当該行程予約をアレンジするメッセージを表示し（S118）、例えば図１Ｆの画面の模式図中には”既に貴方の予約を受信し且つ既にＡＶメール・ネットワーク行程予約ソフトウェアの内に入れた”の字句を表示する。
【００１４】
受信された返信のメッセージがＡＶメールである時になれば（S120）、当該受信端のユーザーが当該行程予約に同意し且つＡＶ説明を加えるように表示し（S122）、当該受信端のユーザーが当該行程予約に同意し然しながら時間を変更するように表示し（S124）、或いは当該受信端のユーザーが当該行程予約に反対し然しながらＡＶ説明を加えるように表示し（S126）、中でも当該ＡＶ説明の画面の模式図が例えば図１Ｈの通りである。当該受信端のユーザーが当該行程予約に同意し且つＡＶ説明を加えるように表示する時になれば（S122）、当該行程予約を当該送信端のユーザーと当該受信端のユーザーの当該ＡＶメール・ネットワーク行程予約ソフトウェアの内に自動的に加え（S128）、同時に図１Ｅに示す画面の模式図を参考し、続いて当該送信端のユーザーと当該受信端のユーザーには既に当該行程予約をアレンジするメッセージを表示し（S130）、例えば図１Ｆに示す画面の模式図を参考し、中でも図１Ｆの中には間もなく”既に貴方の予約を受信し且つ既にＡＶメール・ネットワーク行程予約ソフトウェアの内に入れた”の字句を表示する。
【００１５】
当該受信端のユーザーが当該行程予約に同意し然しながら時間（S124）を変更するように表示する時になれば、ひいては当該送信端のユーザーがこの行程予約に同意することを含み（S132）、当該送信端のユーザーがこの行程予約に同意し、然しながらＡＶ説明を加え（S134）、当該送信端のユーザーがこの行程予約に同意し、然しながら他の行程予約時間を変更すべきで（S136）、当該送信端のユーザーがこの行程予約に反対し（S138）、或いは当該送信端のユーザーがこの行程予約に反対し、然しながらＡＶ説明を加える（S140）。当該送信端のユーザーがこの行程予約に同意し（S132）或いは当該送信端のユーザーがこの行程予約に同意し然しながらＡＶ説明を加え（S134）且つ当該受信端に返信する時になれば、当該行程予約を当該送信端のユーザーと当該受信端のユーザーの当該ＡＶメール・ネットワーク行程予約ソフトウェアの内に自動的に加え（S128）、同時に図１Ｅに示す画面の模式図を参考し、続いて当該送信端のユーザーと当該受信端のユーザーには既に当該行程予約をアレンジするメッセージを表示し（S130）、図１Ｅに示す画面の模式図を参考し、図１Ｆの中には間もなく”既に貴方の予約を受信し且つ既にＡＶメール・ネットワーク行程予約ソフトウェアの内に入れた”の字句を表示し、中でも当該行程予約日付をアレンジするステップを行なうと同時に、当該送信端のユーザー又は当該受信端のユーザーの当該ＡＶメール・ネットワーク行程予約ソフトウェアの内に行程予約の連結した提示符号を生成する。
【００１６】
当該送信端のユーザーがこの行程予約に同意し然しながら他の行程予約時間を変更すべき時になれば（S136）、その時に図１ＡのS100ステップ及びその以下の流れのステップに戻す。
【００１７】
当該送信端のユーザーがこの行程予約に反対する時になれば（S138）、当該送信端のユーザーから受信拒否の標準文字（S142）、例えば図１Ｇの画面の模式図中に表示された”特に貴方の予約を受信していない（図では「拒否する」）ように通知する”の字句を送信する。
【００１８】
当該送信端のユーザーがこの行程予約に反対し然しながらＡＶ説明を加える時になれば（S140）、当該ＡＶ説明を当該受信端のユーザーに返信する（S168）。
【００１９】
図２Ａ及び図２Ｂを参照し、これは本発明のＡＶメール・ネットワーク行程予約方法の受信端を観点とする実施例のフローチャートで、受信端のユーザーから送信端のユーザーの行程予約日付のＡＶメール・メッセージを少なくとも一つ受信するが、当該送信端のユーザーから送信されたＡＶメール及び行程予約画面メッセージを受信することを含み（S200）、中でも当該行程画面メッセージに図１Ｈを参照するが、そして当該受信動作が有線または無線を介してインターネットを接続して完成され、当該ＡＶメールが少なくとも一つの即時映像データ，少なくとも一つの即時音声データ及び行程予約画面を含み、且つ当該即時映像が送信端のユーザーの映像である。当該受信端のユーザーが当該ＡＶメールの内容を開き且つ調べ（S202）、続いて当該受信端のユーザーが当該送信端のユーザーの当該ＡＶメールに内蔵された行程予約日付を受信するかどうかを判断する（S204）。
【００２０】
当該受信端のユーザーが当該送信端のユーザーの当該ＡＶメールに内蔵された行程予約日付を受信するかどうかのステップの中（S204）では、結果が肯定であれば、当該ＡＶメール内容の確認表示分類を選択し（S206）、表示分類が標準文字メッセージと確認する時になれば、予め設定された受信の標準文字メッセージを当該送信端のユーザーへ送信し（S208）、図１Ｆに示す画面の模式図を参考し、図１Ｆの中には”既に貴方の予約を受信し且つ既にＡＶメール・ネットワーク行程予約ソフトウェアの内に入れた”の字句を表示し、続いて当該行程予約日付を送信端のユーザー及び受信端のユーザーの当該ＡＶメール・ネットワーク行程予約ソフトウェアの内にアレンジし（S216）、同時に図１Ｅに示す画面の模式図を参考し、中でも当該行程予約日付をアレンジするステップを行なうと同時に、当該送信端のユーザー又は当該受信端のユーザーの当該ＡＶメール・ネットワーク行程予約ソフトウェアの内に行程予約の連結した提示符号を生成する。
【００２１】
結果が否定あれば、送信した当該ＡＶメール・メッセージの拒否表示分類を選択する（S220）。拒否表示分類が予め設定された拒否受信標準文字メッセージである時になれば、予め設定された当該拒否受信標準文字メッセージを表示し、且つ当該送信端のユーザーへ送信する（S222）。例えば図１Ｇの画面の模式図中に示す”特に貴方の予約を受信していないように通知する”の字句の通りである。拒否表示分類が拒否受信のＡＶメッセージである時になれば、拒否受信のＡＶメッセージ内容をレコードし、且つ当該送信端のユーザーへ送信し（S224）、ステップS222及びステップS224の結果を当該送信端のユーザーへ返信する（S226）。
【００２２】
当該ＡＶメール内容の確認表示分類を選択するステップの中（S206）では、表示分類がＡＶメッセージと確認する時になれば、当該受信端のユーザーが他の行程予約日付の変更を実施し（S212）、或いは当該受信端のユーザーが当該行程予約に同意し、然しながらＡＶ説明を加える（S214）。
【００２３】
行程予約手順の変更を実施する時に（S212）、この時に当該受信端のユーザーは流れに対応し、図２Ｂとその以下の流れのステップを参考し、当該受信端のユーザーがＡＶメール・ネットワーク行程予約ソフトウェアを起動し（S228）、当該ＡＶメールが少なくとも一つの即時映像データ，少なくとも一つの即時音声データ及び行程予約画面を含み、当該即時映像が受信端のユーザーの映像である。当該受信端のユーザーがクリックされた行程予約日付時間中にネットワーク行程予約のＡＶメールをレコードし（S230）、当該レコードされた動作が映像撮影装置と音声ピック・アップ装置から完成され且つ結合行程画面を結合して送信されたＡＶ行程メッセージであり、図１Ｃに示す画面の模式図を参考し、当該受信端のユーザーがユーザーの名簿中から送信しようとする複数の送信端のユーザーを選択し（S232）、当該ユーザーの名簿が複数のユーザー名称，複数のユーザーの連絡電話，複数のユーザーの連絡住所および複数の電子メール・アドレスを含み、図１Ｄに示す画面の模式図を参考し、当該受信端のユーザーが送信しようとする当該受信端のユーザーを選択した後に、再び確定ボタンを押え付けてもよい。当該ネットワーク行程予約のＡＶメールを送信し、且つ既に選択された当該送信端のユーザーに通知し（S234）、当該送信の動作が有線または無線を介してインターネットを接続して完成される。
【００２４】
当該ネットワーク行程予約のＡＶメールを送信し且つ既に選択された当該送信端のユーザーに通知する（S234）ステップの中では、ここに当該送信端の返信の流れと同時に、図１Ｂとその以下の流れのステップを参考する。図１Ｂの中では、送信端のユーザーが当該受信端のユーザーの当該ＡＶメール内容の変更した行程予約日付を受信するかどうかを判断し（S144）、結果が肯定であれば、当該ＡＶメール内容の確認表示分類を選択し（S146）、表示分類が標準文字メッセージと確認する時になれば、予め設定された受信の標準文字メッセージを当該送信端のユーザーへ送信し（S148）、図１Ｆに示す画面の模式図を参考し、図１Ｆの中には”既に貴方の予約を受信し且つ既にＡＶメール・ネットワーク行程予約ソフトウェアの内に入れた”の字句を表示し、続いて当該行程予約日付を送信端のユーザー及び受信端のユーザーの当該ＡＶメール・ネットワーク行程予約ソフトウェアの内にアレンジし（S156）、且つ既に当該行程予約を当該送信端のユーザー及び当該受信端のユーザーにアレンジしたメッセージを表示し（S158）、図１Ｅに示す画面の模式図を参考する。中でも当該行程予約日付をアレンジするステップを行なうと同時に、当該送信端のユーザー又は当該受信端のユーザーの当該ＡＶメール・ネットワーク行程予約ソフトウェアの内に行程予約の連結した提示符号を生成する。
【００２５】
当該ＡＶメール内容の確認表示分類を選択するステップの中（S146）では、表示分類がＡＶメッセージと確認する時になれば、他の行程予約日付を変更し（S152）、或いは当該送信端のユーザーが当該行程予約に同意し、然しながらＡＶ説明を加える（S154）。当該表示分類がＡＶメッセージと確認し且つ他の行程予約日付の変更を実施する時になれば（S152）、この時に図１ＡのS100ステップとその以下の流れのステップに戻す。中でも図１Ｃを参考し、これは当該送信端のユーザーがレコードしたＡＶ説明と行程選択の図示の説明メッセージ且つ当該受信端のユーザーへ送信した画面の模式図である。当該送信端のユーザーが当該行程予約に同意し然しながらＡＶ説明を加えれば（S154）、当該行程予約を当該送信端のユーザーと当該受信端のユーザーの当該ＡＶメール・ネットワーク行程予約ソフトウェアの内に自動的に加え（S156）、図１Ｅに示す画面の模式図を参考し、当該送信端のユーザーと当該受信端のユーザーには既に当該行程予約をアレンジするメッセージを表示し（S158）、図１Ｆに示す画面の模式図を参考し、図１Ｆの中には”既に貴方の予約を受信し且つ既にＡＶメール・ネットワーク行程予約ソフトウェアの内に入れた”の字句を表示する。
【００２６】
当該送信端のユーザーが当該受信端のユーザーの当該ＡＶメール内容の他の行程予約日付を受信するかどうか（S144）のステップの中では、結果が否定であれば、送信した当該ＡＶメール・メッセージの拒否表示分類を選択する（S160）。拒否表示分類が予め設定された拒否受信標準文字メッセージである時になれば、予め設定された当該拒否受信標準文字メッセージを表示し、且つ当該受信端のユーザーへ送信する（S162）。例えば図１Ｇの画面の模式図中に表示された”特に貴方の予約を受信していないように通知する”の字句の通りである。拒否表示分類が拒否受信のＡＶメッセージである時になれば、拒否受信のＡＶメッセージ内容をレコードし、且つ当該受信端のユーザーへ送信し（S164）、ステップS162及びステップS164の結果を当該受信端のユーザーへ返信する（S166）。
【００２７】
受信端のユーザーが当該送信端のユーザーの返信したメッセージを受信し（S236）、ここに受信端のユーザーと同時に予約された行程がまだ返信していない目録リストをも表示し、例えば図１Ｉの画面の模式図の通りで、このように当該受信端のユーザーが返信の状況をより容易にコントロールし、ほかに当該予約行程のまだ返信していない目録も当該受信端により主動的に検索で呼び出すことが出来、受信された返信のメッセージが予め設定された受信の標準文字であれば（S238）、当該送信端のユーザーが当該行程予約に同意するように表示し（S240）、或いは当該送信端のユーザーが当該行程予約に反対するように表示し（S242）、当該送信端のユーザーが当該行程予約に同意するように表示する時になれば（S240）、当該行程予約を当該受信端のユーザーと当該送信端のユーザーの当該ＡＶメール・ネットワーク行程予約ソフトウェアの内に自動的に加え（S244）、図１Ｅに示す画面の模式図を参考し、当該受信端のユーザーと当該送信端のユーザーには既に当該行程予約をアレンジするメッセージを表示し（S246）、図１Ｆに示す画面の模式図を参考し、中でも図１Ｆの中には”既に貴方の予約を受信し且つ既にＡＶメール・ネットワーク行程予約ソフトウェアの内に入れた”の字句を表示する。
【００２８】
受信された返信のメッセージがＡＶメールである時になれば（S248）、当該送信端のユーザーが当該行程予約に同意し且つＡＶ説明を加えるように表示し（S250）、当該送信端のユーザーが当該行程予約に同意し然しながら時間を変更するように表示し（S252）、或いは当該送信端のユーザーが当該行程予約に反対し然しながらＡＶ説明を加えるように表示する（S254）。中でも当該ＡＶ説明の画面の模式図が例えば図１Ｈの通りで、当該送信端のユーザーが当該行程予約に同意し且つＡＶ説明を加えるように表示する時になれば（S250）、当該行程予約を当該受信端のユーザーと当該送信端のユーザーの当該ＡＶメール・ネットワーク行程予約ソフトウェアの内に自動的に加え（S256）、図１Ｅに示す画面の模式図を参考し、続いて当該受信端のユーザーと当該送信端のユーザーには既に当該行程予約をアレンジするメッセージを表示し（S258）、図１Ｆに示す画面の模式図を参考し、中でも図１Ｆの中には間もなく”既に貴方の予約を受信し且つ既にＡＶメール・ネットワーク行程予約ソフトウェアの内に入れた”の字句を表示する。
【００２９】
当該送信端のユーザーが当該行程予約に同意し然しながら時間を変更しようとするように表示する時になれば（S252）、ひいては当該受信端のユーザーがこの行程予約に同意することを含み（S260）、当該受信端のユーザーがこの行程予約に同意し、然しながらＡＶ説明を加え（S262）、当該受信端のユーザーがこの行程予約に同意し、然しながら他の行程予約時間を変更すべきで（S264）、当該受信端のユーザーがこの行程予約に反対し（S266）、或いは当該受信端のユーザーがこの行程予約に反対し、然しながらＡＶ説明を加える（S268）。当該受信端のユーザーがこの行程予約に同意し（S260）或いは当該受信端のユーザーがこの行程予約に同意し然しながらＡＶ説明を加え（S262）且つ当該ＡＶ説明と行程予約画面を当該送信端のユーザーへ返信する時になれば、当該行程予約を当該受信端のユーザーと当該送信端のユーザーの当該ＡＶメール・ネットワーク行程予約ソフトウェアの内に自動的に加え（S256）、図１Ｅに示す画面の模式図を参考し、続いて当該受信端のユーザーと当該送信端のユーザーには既に当該行程予約をアレンジするメッセージを表示し（S258）、図１Ｆに示す画面の模式図を参考し、図１Ｆの中には”既に貴方の予約を受信し且つ既にＡＶメール・ネットワーク行程予約ソフトウェアの内に入れた”の字句を表示し、中でも当該行程予約日付をアレンジするステップを行なうと同時に、当該受信端のユーザー又は当該送信端のユーザーの当該ＡＶメール・ネットワーク行程予約ソフトウェアの内に行程予約の連結した提示符号を生成する。当該受信端のユーザーがこの行程予約に同意し然しながら他の行程予約時間を変更すべき時になれば（S264）、行程予約手順の変更を実施し、その時に図２ＢのS228ステップ及びその以下の流れのステップに戻す。
【００３０】
当該受信端のユーザーがこの行程予約に反対する時になれば（S226）、当該受信端のユーザーから受信拒否の標準文字を送信し（S270）、図１Ｇに示す画面の模式図を参考し、図１Ｇの中には”特に貴方の予約を受信していないように通知する”の字句を表示する。
【００３１】
当該受信端のユーザーがこの行程予約に反対し然しながらＡＶ説明を加える時になれば（S268）、当該ＡＶ説明と行程予約画面を当該送信端のユーザーへ送信する（S272）。
【００３２】
本発明のＡＶメール・ネットワーク行程予約方法を運用することにより、送信端のユーザー又は受信端のユーザーは如何なる状況下（異なる時間または異なる空間）でもネットワーク行程予約の目的を達成でき、従来の技術の不足を解決するために用いられ、且つ送信端のユーザーの今度行程予約に対する表情および送信端のユーザーの当時の語気を即時に見ることが出来、このように今度の行程予約の達成率をもたらすことが出来る。
【００３３】
本発明は確かに前述の掲示した技術により、完全に従来とは異なる設計を提供でき、全体の利用価値を向上でき、またその出願前ではまだ出版物に現れない或いは公開的に使用されず、誠にすでに特許の要件に適合し、ここに特許法により特許の出願を提出する。
【００３４】
ただし前述の掲示した図面，説明は、本発明の実施例のみで、いかなる当該技術をよく分かる者でも、前述の説明に基づいて他の様々な改良が出来、そしてこれらの変更が依然として本発明の発明精神および特許請求の範囲中に属する。
【図面の簡単な説明】
【００３５】
【図１Ａ】本発明のＡＶメール・ネットワーク行程予約方法の送信端を観点とする実施例のフローチャートである。
【図１Ｂ】本発明のＡＶメール・ネットワーク行程予約方法の送信端を観点とする実施例のフローチャートである。
【図１Ｃ】本発明のＡＶメール・ネットワーク行程予約方法の実施画面の模式図である。
【図１Ｄ】本発明のＡＶメール・ネットワーク行程予約方法の実施画面の模式図である。
【図１Ｅ】本発明のＡＶメール・ネットワーク行程予約方法の実施画面の模式図である。
【図１Ｆ】本発明のＡＶメール・ネットワーク行程予約方法の実施画面の模式図である。
【図１Ｇ】本発明のＡＶメール・ネットワーク行程予約方法の実施画面の模式図である。
【図１Ｈ】本発明のＡＶメール・ネットワーク行程予約方法の実施画面の模式図である。
【図１Ｉ】本発明の予約した行程がまだ返信していない目録リスト画面の模式図である。
【図２Ａ】本発明のＡＶメール・ネットワーク行程予約方法の受信端を観点とする実施例のフローチャートである。
【図２Ｂ】本発明のＡＶメール・ネットワーク行程予約方法の受信端を観点とする実施例のフローチャートである。
【図１Ａ】
2007011875.tif 000003
【図１Ｂ】
2007011875.tif 000004
【図１Ｃ】
2007011875.tif 000005
【図１Ｄ】
2007011875.tif 000006
【図１Ｅ】
2007011875.tif 000007
【図１Ｆ】
2007011875.tif 000008
【図１Ｇ】
2007011875.tif 000009
【図１Ｈ】
2007011875.tif 000010
【図１Ｉ】
2007011875.tif 000011
【図２Ａ】
2007011875.tif 000012
【図２Ｂ】
2007011875.tif 000013